(57)【要約】      （修正有）【課題】開封される位置や大きさを自由に設定できるサンドイッチ包装用袋を提供する。【解決手段】サンドイッチ包装用袋１は、略等脚台形状の食品収容部６および台形の短辺７側に形成された耳部１０を有する２枚のプラスチックシート２、３と、第２シート３の第１シート２に対向した面に短辺に垂直に設けられたカットテープ４と、短辺側のカットテープ端部側において第２シートおよびカットテープに設けられた切り込み部５を有し、両シートは短辺に沿った短辺接続部と両斜辺に沿った斜辺接続部により袋状に接続され、カットテープは特定の方向に亀裂が進行する方向性プラスチックフィルムを素材とし、亀裂進行方向は短辺に垂直な方向であり、カットテープの中心は短辺の中心にあり、短辺の両端とカットテープの両側部には３ｍｍ以上７ｍｍ以下の空間があり、カットテープには両側縁部に沿って第２シートに接続された接続部と、両接続部間に非接続部が形成され、切り込み部は耳部において非接続部の内部にある。【選択図】図１
0003217544.tif 000002
【実用新案登録請求の範囲】
【請求項１】
略等脚台形状の食品収容部および等脚台形状の短辺側に形成された耳部を有する２枚のプラスチックシートである第１シートおよび第２シートと、第２シートにおいて第１シートに対向した面に等脚台形状の短辺に垂直に設けられたカットテープと、第１シートと第２シートは等脚台形状の短辺に沿った短辺接続部と両斜辺に沿った斜辺接続部により袋状に接続されており、カットテープは特定の方向に亀裂が進行する方向性プラスチックフィルムを素材としその亀裂進行方向は等脚台形状の短辺に垂直な方向に沿っており、カットテープの中心は等脚台形状の短辺の中心位置にあり、短辺の両端とカットテープの両側部には３ｍｍ以上７ｍｍ以下の空間があり、カットテープにはその両側縁部に沿って第２シートに接続された接続部と、両接続部の間の全ての領域において第２シートに接続されていない非接続部が形成されていて、耳部においてカットテープの両接続部の間に形成された非接続部の内部に第２シートおよびカットテープに切り込み部が設けられているサンドイッチ包装用袋。
【請求項２】
２以上の切り込み部が並んで設けられている請求項１に記載のサンドイッチ包装用袋。
【考案の詳細な説明】
【技術分野】
【０００１】
この考案は、直角三角形状のサンドイッチを包装するためのプラスチックフィルム製の食品包装体に関する。
【背景技術】
【０００２】
直角三角形の形状をしたサンドイッチは、プラスチックフィルムでできた包装袋に収納され、店頭に陳列されている。特許文献１、特許文献２、特許文献３には、このような直角三角形のサンドイッチを収納する包装袋が記載されている。
【０００３】
特許文献１のサンドイッチ用包装体は、第１プラスチックシートと第２プラスチックシートを有し、第１プラスチックシートと第２プラスチックシートは同形の等脚台形部を有し、等脚台形部の斜辺部および上辺部には第１プラスチックシートと第２プラスチックシートの接続部が所定の幅で形成され、等脚台形部の下辺部は第１プラスチックシートと第２プラスチックシートが接続されていない開口部となっている。そして、中央部にはカットテープが設けられ、開封を容易にしている。
【０００４】
特許文献２には、上辺シール部の幅と同程度の幅広な開封用フィルム片が設けられたサンドイッチ用包装袋が記載されている。
【０００５】
さらに、特許文献３には、袋体にカットテープをシール手段により設けてなる包装用袋であって、シール手段により形成されるシール部は、所定間隔をおいて夫々直線状に形成された外側シール部と、該外側シール部の内側位置に直線状に形成された少なくとも１本の内側シール部とからなり、相隣り合う外側シール部と内側シール部との間に引裂ガイド領域が形成されている包装用袋が記載されている。したがって、開裂起点となる摘み片の端部は外側シール部と内側シール部の間にあるシールされていない領域に設けられる（同文献請求項３）。
【先行技術文献】
【特許文献】
【０００６】
【特許文献１】特開２０１３−１６６５６６号公報
【特許文献２】実用新案登録第３０８４５９２号公報
【特許文献３】特開２００４−３１５０６４号公報
【考案の概要】
【考案が解決しようとする課題】
【０００７】
特許文献１〜特許文献３に記載のサンドイッチ用包装材にはカットテープが設けられているので、このカットテープを引くことによって開封し、その開口部より、中のサンドイッチを取り出すことができる。しかし、特許文献１や特許文献２の考案では、開封できる幅および位置はカットテープの幅や取り付け位置に限られてしまう。したがって、開封される幅や位置の異なる包装袋を作るためには、異なる幅のカットテープを準備し、さらに、カットテープを袋体の内側に熱圧着するための加熱型も複数のものを用意し、その都度付け替えなければならない。
【０００８】
特許文献３の考案ではやや幅広いカットテープが使用されているが、外側シール部と内側シール部との間の狭い領域に開裂起点となる摘み片の端部を設けるので、やはり開封の幅や位置は変化させることはできない。
【０００９】
この考案は、開封される位置や大きさを自由に設定できるサンドイッチ包装用袋を提供することを目的とする。
【課題を解決するための手段】
【００１０】
上記の課題を解決するために、この考案のサンドイッチ包装用袋は、略等脚台形状の食品収容部および等脚台形状の短辺側に形成された耳部を有する２枚のプラスチックシートである第１シートおよび第２シートと、第２シートにおいて第１シートに対向した面に等脚台形状の短辺に垂直に設けられたカットテープと、等脚台形状の短辺側のカットテープ端部側において第２シートおよびカットテープに設けられた切り込み部を有し、第１シートと第２シートは等脚台形状の短辺に沿った短辺接続部と両斜辺に沿った斜辺接続部により袋状に接続されており、カットテープは特定の方向に亀裂が進行する方向性プラスチックフィルムを素材としその亀裂進行方向は等脚台形状の短辺に垂直な方向に沿っており、カットテープの中心は等脚台形状の短辺の中心位置にあり、短辺の両端とカットテープの両側部には３ｍｍ以上７ｍｍ以下の空間があり、カットテープにはその両側縁部に沿って第２シートに接続された接続部と、両接続部の間において第２シートに接続されていない非接続部が形成されていて、切り込み部は耳部においてカットテープの非接続部の内部にある。また、２以上の切り込み部が並んで設けてもよい。
【考案の効果】
【００１１】
この考案のサンドイッチ包装用袋は、開封される位置や大きさを自由に設定でき、しかも簡単に開封することができる。
【図面の簡単な説明】
【００１２】
【図１】サンドイッチ包装用袋の例を示す正面図である。
【図２】同Ａ−Ａ断面図である。
【図３】第１シートを示す正面図である。
【図４】第２シートを示す正面図である。
【図５】カットテープを示す正面図である。
【図６】サンドイッチ包装用袋の使用状態を示す参考斜視図である。
【考案を実施するための形態】
【００１３】
本考案を実施するための形態について、図面に基づいて詳細に説明する。図１はサンドイッチ包装用袋の実施形態を示す正面図である。また、図２は同Ａ−Ａ断面図である。この図２においては、厚さを実際のものより強調して図示しているが、実物は薄いプラスチックフィルムにより作られている。
【００１４】
サンドイッチ包装用袋１は、ほぼ外形が同じ第１シート２と第２シート３の重ね合わせにより形成される。第１シート２および第２シート３はいずれも薄く透明なプラスチックフィルムであり、サンドイッチ包装用袋１も印刷が施されていなければ全体的に透明である。このプラスチックフィルムは特に一方向延伸フィルムである必要はない。
【００１５】
サンドイッチ包装用袋１は、上辺７が短辺であり、下辺９が長辺である等脚台形の形状をした食品収容部６を有する。この食品収容部６において、上辺７（短辺）には第１シート２と第２シート３が接続されている短辺接続部１２が設けられ、また側部の斜辺８に沿っても第１シート２と第２シート３が接続された斜辺接続部１３が設けられている。なお、短辺接続部１２では後述のカットテープ４が挟まれているので、第１シート２と第２シート３はそのカットテープ４を間に挟んで接続されることになる。一方、下辺９（長辺）では第１シート２と第２シート３は接続されていない。したがって、食品収容部６は下辺９のみが開いた袋形状になっており、この中にサンドイッチを収容できるようになっている。この食品収容部６の形状は収容されるサンドイッチの形状に対応している。このサンドイッチ包装用袋には、直角三角形のサンドイッチが収容されるが、上辺７はサンドイッチの厚さとほぼ同じか若干広めになっており、斜辺８の垂線に対する角度θはサンドイッチの頂点の角度の半分になっている。多くの場合では、正方形のパンを対角線に沿って切断するので、得られるサンドイッチは二等辺直角三角形となり、本例においても角度θは概ね２２．５°である。
【００１６】
食品収容部６の上部には上辺７（短辺）に続く耳部１０が設けられ、下部には折り畳み部１１が設けられている。この耳部１０と折り畳み部１１の形状には特に制限はないが、ここでは耳部１０は略長方形状であり、左右両上端角部に丸みが付けられている。折り畳み部１１は下辺が短辺となる略等脚台形になっている。
【００１７】
図３は第１シートを示す正面図、図４は第２シートを示す正面図である。第１シート２と第２シート３はほぼ同じ形状であり、食品収容部６を形成する等脚台形状の部分と、その上の耳部１０を形成する略長方形状の部分と、下の折り畳み部１１を形成する略等脚台形状の部分を有する。そして、第２シート３には、第１シートに対向した面にカットテープ４が取り付けられている。カットテープ４は、上辺７に対して垂直である。後述するように、等脚台形状の中で上辺７およびその両端点に垂直な線を辺とする長方形状の領域は、収納されるサンドイッチの垂直面に当たることになるが、この長方形状の領域内にカットテープ４を設ける。この長方形状の領域内であれば任意の位置を選択できるが、本例ではこの領域の中心線にカットテープ４の中心線を合わせるように配置している。
【００１８】
図５はカットテープを示す正面図である。カットテープ４は開封時に形成すべき開口の幅よりも広いものであり、等脚台形状の短辺の長さに対して６ｍｍ以上１４ｍｍ以下だけ狭くなっている。特に、１０ｍｍだけ狭くすることが好ましい。
【００１９】
カットテープの中心は等脚台形状の短辺の中心位置にほぼ合わせられている。そして、等脚台形状の短辺の両端とカットテープの両側縁との間には、３ｍｍ以上７ｍｍ以下の空間が形成される。これにより、広い幅のカットテープ４を適用することができ、しかも若干の製造時の誤差があってもカットテープが等脚台形状の外にはみ出すことが防止できる。特に、等脚台形状の短辺の長さより１０ｍｍだけ狭いカットテープを使用し、両側部に５ｍｍの空間を形成することが好ましい。
【００２０】
カットテープ４は接着剤によって第２シート３に取り付けることもできるが、ここでは熱圧着により接続している。カットテープ４は両側部には第２シート３に接続された細い帯状の接続部１４が形成される。この接続部１４はなるべく両側縁に近い部位に設けることが好ましいが、熱圧着のための加熱型がカットテープ４の外に出ることを防止するため、両側縁よりも若干内側に設けられる。そして、左右の接続部１４の間の領域のすべてには、第２シートに接続されていない非接続部１５が形成されている。
【００２１】
カットテープ４の上部は上辺７を越えて、耳部１０まで延びている。そして、カットテープ４の上側、すなわち、耳部１０でカットテープ４の内部においてカットテープ４と第２シート３に切り込み部５が形成されている。すなわち、切り込み部５の両端部はカットテープの外側に出ておらず、カットテープ４の非接続部１５の内部にある。そして、この切り込み部５の長さ、すなわち両端部の間隔が、開封時の開口の幅に相当し、切り込み部５の設けられる位置が形成される開口の位置を決める。
【００２２】
図１の例ではほぼ同じ厚さの３個のサンドイッチを包装する場合を想定しており、切り込み部５はカットテープ４の幅中央に合わせて設けられている。また、切り込み部５の長さは１個分のサンドイッチの厚さに概ね対応し、カットテープ４の幅の３分の１程度になっている。したがって、各サンドイッチの厚さが異なる場合や偶数個（例えば２個または４個）のサンドイッチを包装する場合などには、切り込み部５はカットテープ４の中心よりもずらして設けてもよい。また、複数の切り込み部をカットテープ４上にならべて設けて、複数の開口場所を選択できるようにしてもよい。
【００２３】
ついで、このサンドイッチ包装用袋の使用方法について説明する。サンドイッチ包装用袋の下部は開いているので、ここからサンドイッチｘを挿入する。サンドイッチｘの直角三角形の頂点側から挿入し、奥まで入れる。このとき、サンドイッチｘの垂直な面が第２シート３に当たるような向きで入れる。そして、サンドイッチ包装用袋の下部の余った部分をキャラメル折りのようにして折り畳み、粘着テープやシールなどで止めれば包装が完了する。図６はサンドイッチ包装用袋の使用状態を示す参考斜視図であり、図１に示すサンドイッチ包装用袋で包装された包装サンドイッチを示している。
【００２４】
三角サンドイッチは、通常は正方形または長方形の２枚またはそれ以上のパンの間に具材を挟みこむことによって作られ、その後、対角線に沿って２つに切断される。こうして、直角三角形のサンドイッチができる。斜辺に沿った面が切断面であり、この面ではサンドイッチの具材がよく見えるようになっている。第１シート３は透明であるので、この包装体を店頭に陳列したときに、外から具材がよく観察できる。カットテープ４は三角サンドイッチｘの垂直な面に表れることになり、それ以外の面は第１シート２または第２シート３により覆われる。第１シート２および第２シート３は方向性フィルムにする必要がなく、通常の食品包装用のプラスチックフィルムでよいので、曇り止め加工などを容易に施すことができ、透明度を高めて内部のサンドイッチｘが美しく見えるように仕上げることができる。
【００２５】
次にこの包装サンドイッチ２０の開封について説明する。このサンドイッチ包装用袋は、切り欠き部５を指でつまんで、下向きに引き下げて開封する。切り欠き部５の両端部が亀裂の起点となり、カットテープ４が切断されていく。ここで、カットテープ４は特定の方向に亀裂が進行する方向性プラスチックフィルムを素材とし、その亀裂進行方向は等脚台形状の短辺に垂直な方向に沿っているので、切り欠き部５の両端部から生じた２本の亀裂はその間隔を保ったままカットテープ４の長さ方向に沿って進行する。そして、この２本の亀裂に挟まれた部分が引き上げられるとき、この部分が本来の意味でのカットテープとして作用し、第２シート３を開裂し、予定された開口を形成する。本例であれば、３個のサンドイッチのうち中央にあるものの位置及び厚さに対応した開口が得られる。したがって、勢いよく開封しても、開口部からサンドイッチが飛び出すおそれが小さい。しかも、１個のサンドイッチを取り出すのに十分な大きさの開口であるので、この開口部に指を入れてそのままサンドイッチを簡単に取り出すことができる。
【００２６】
切り欠き部５は耳部１０においてカットテープ４の非接続部１５の内部であれば任意の位置に任意の長さで設けることができる。本考案では幅広いカットテープ４が用いられているため、幅や位置を広範囲に選択でき、これによって開口部の位置と大きさを自由に設定することができる。したがって、包装されるサンドイッチの個数や厚さに合わせて最適な開封ができるサンドイッチ包装用袋を、切り欠き部５の位置や長さを変えるだけで提供することができる。サンドイッチ包装用袋の生産設備や生産工程を大きく変更する必要がない。
【符号の説明】
【００２７】
１．サンドイッチ包装用袋
２．第１シート
３．第２シート
４．カットテープ
５．切り込み部
６．食品収容部（等脚台形部）
７．上辺
８．斜辺
９．下辺 
１０．耳部
１１．折り畳み部
１２．短辺接続部
１３．斜辺接続部
１４．カットテープ接続部
１５．非接続部
２０．包装サンドイッチ
ｘ．サンドイッチ
【図１】
0003217544.tif 000003
【図２】
0003217544.tif 000004
【図３】
0003217544.tif 000005
【図４】
0003217544.tif 000006
【図５】
0003217544.tif 000007
【図６】
0003217544.tif 000008